(57)【特許請求の範囲】
【請求項１】
複数の遊技機のそれぞれについて、当該遊技機固有の識別子である遊技機識別子と、当該遊技機の構成部品固有の識別子である構成部品識別子と、当該構成部品の製造年月日、回収先、解体手順及び回収時の単価を含むリサイクル情報と、を関連付けて記憶する記憶手段と、
インターネットを介してリサイクル業者に備えられているリサイクル業者側端末装置と接続され、前記リサイクル業者側端末装置によって遊技機に付されたバーコードから読み取られた前記遊技機識別子を、前記インターネットを介して前記リサイクル業者側端末装置から受信する受信手段と、
前記受信手段により受信した前記遊技機識別子に基づいて、前記記憶手段に記憶されている前記構成部品識別子及び前記リサイクル情報のうち、当該遊技機識別子に関連付けられている前記構成部品識別子及び前記リサイクル情報を前記記憶手段から読み出すリサイクル情報読み出し手段と、
前記リサイクル情報読み出し手段により読み出した前記構成部品識別子及び前記リサイクル情報に基づいて、前記製造年月日からの経過日数が予め設定された再利用期間内にある前記構成部品が存在するか否かを判定する判定手段と、
前記判定手段により前記製造年月日からの経過日数が前記再利用期間内にある前記構成部品が存在すると判定した場合に、前記リサイクル情報読み出し手段により読み出した前記構成部品識別子に係る構成部品のうち、当該製造年月日からの経過日数が前記再利用期間内にある構成部品のみについて、前記構成部品識別子と前記リサイクル情報とを対応付けたリストを作成するとともに、当該製造年月日からの経過日数が前記再利用期間内にある構成部品について、前記再利用期間が満了するまでの残り日数を算出して、算出した残り日数に係る情報を作成した前記リストに添付するリスト作成手段と、
前記リスト作成手段により作成した前記残り日数に係る情報が添付された前記リストを、前記インターネットを介して前記リサイクル業者側端末装置に配信する配信手段と、を備えたことを特徴とするリサイクル支援装置。
【発明の詳細な説明】
【０００１】
【発明の属する技術分野】
本発明は、遊技機のリサイクルに関する情報であるリサイクル情報を配信するリサイクル支援装置に関する。
【０００２】
【従来の技術】
昨今、地球的な規模で資源の大切さがうたわれており、リサイクルに対する注目が集まっている。その中でも遊技機は販売台数が多くリサイクルに対する工夫が求められる分野である。現在では、遊技機にそのＩＤ（識別子）を表現するバーコードシールを張って、製造メーカから遊技場更には、解体等を行うリサイクル業者にどの遊技機がどのように流れているかを把握してリサイクルの効率を図るようにしている。
【発明が解決しようとする課題】
しかしながら、現状にあっては、本格的なリサイクルは開始したばかりであり、例えば解体手順等のリサイクル情報を円滑に入手することが困難である。しかも、製造から長らく経った部品にあっては、回収不能な状態まで劣化するものもあり、迅速なリサイクル作業を行なうための技術の出現が望まれていた。
【０００３】
本発明は、かかる従来の課題を解決するためになされたもので、遊技機のリサイクル情報を迅速に求められるようにしたリサイクル支援装置を提供することを目的とする。
【課題を解決するための手段】
上記目的を達成するために、本発明は、複数の遊技機のそれぞれについて、当該遊技機固有の識別子である遊技機識別子と、当該遊技機の構成部品固有の識別子である構成部品識別子と、当該構成部品の製造年月日、回収先、解体手順及び回収時の単価を含むリサイクル情報と、を関連付けて記憶する記憶手段と、インターネットを介してリサイクル業者に備えられているリサイクル業者側端末装置と接続され、前記リサイクル業者側端末装置によって遊技機に付されたバーコードから読み取られた前記遊技機識別子を、前記インターネットを介して前記リサイクル業者側端末装置から受信する受信手段と、前記受信手段により受信した前記遊技機識別子に基づいて、前記記憶手段に記憶されている前記構成部品識別子及び前記リサイクル情報のうち、当該遊技機識別子に関連付けられている前記構成部品識別子及び前記リサイクル情報を前記記憶手段から読み出すリサイクル情報読み出し手段と、前記リサイクル情報読み出し手段により読み出した前記構成部品識別子及び前記リサイクル情報に基づいて、前記製造年月日からの経過日数が予め設定された再利用期間内にある前記構成部品が存在するか否かを判定する判定手段と、前記判定手段により前記製造年月日からの経過日数が前記再利用期間内にある前記構成部品が存在すると判定した場合に、前記リサイクル情報読み出し手段により読み出した前記構成部品識別子に係る構成部品のうち、当該製造年月日からの経過日数が前記再利用期間内にある構成部品のみについて、前記構成部品識別子と前記リサイクル情報とを対応付けたリストを作成するとともに、当該製造年月日からの経過日数が前記再利用期間内にある構成部品について、前記再利用期間が満了するまでの残り日数を算出して、算出した残り日数に係る情報を作成した前記リストに添付するリスト作成手段と、前記リスト作成手段により作成した前記残り日数に係る情報が添付された前記リストを、前記インターネットを介して前記リサイクル業者側端末装置に配信する配信手段と、を備えたことを特徴とするようにした。
【０００４】
この発明においては、遊技機のリサイクル情報が迅速に求められるようになる。
【００１２】
【発明の実施の形態】
以下、本発明の実施の形態を図面を参照しつつ説明する。
【００１３】
（構成）
図１は、本発明の実施の形態のリサイクル支援システム１のブロック構成図である。このリサイクル支援システム１は、リサイクル業者側端末装置１００と、所要の情報を配信するリサイクル支援装置３００とを有していて、これらの装置は所要の情報を通信可能に通信網２００に接続されている。なお、携帯端末装置１００は、当然に複数台使用可能であるが、説明の容易化のため１台として説明する。また、ここではリサイクル業者側端末装置１００とリサイクル支援装置３００との間には他の情報処理装置が介在しないようにして説明しているが、リサイクル管理業者の端末装置を介在させる等、その構成は適宜変更しうる。さらに、通信網２００は、例えばインターネット網や専用線等を用いて実現され、より具体的には光ファイバーケーブル等の伝送媒体で実現される。
【００１４】
図２は、リサイクル支援装置３００のブロック構成図である。このリサイクル支援装置３００は、動作プログラムに従った動作を行うＣＰＵ等で実現される処理部３１０と、マウス等の入力デバイスで実現できる入力部３２０と、ＣＲＴ等の表示デバイスで実現できる出力部３３０と、ＨＤ等で実現できる記憶部３４０とを備えている。この記憶部３４０には、テーブルが格納されるテーブル領域３５０が形成されていて、このテーブル領域３５０に格納されるテーブルの参照、更新等は、処理部３１０によって行われるようになっている。
【００１５】
図４は、テーブル領域３５０に格納されるテーブル３５１の説明図である。図４に示すテーブル３５１は、遊技機固有に設定される遊技機識別子である遊技機ＩＤと、その遊技機を構成する各構成部品それぞれに固有に設定される構成部品ＩＤおよびその名称と、夫々の構成部品に対するリサイクル情報とを関連付けて記憶する。リサイクル情報としては、その製造年月日、回収先である部品回収先と、解体手順を示す解体手順情報と、回収時の単価等が含まれて、リサイクル業者がこれらの情報を迅速に得て円滑な作業を行なえるようにしている。なお、リサイクル情報は、これらの情報の内の少なくとも１つとしても良く、また、この例に限られず他のものを適宜追加しても良く、情報更新は適宜行えば良い。他のリサイクル情報として、例えば、メーカーがパーツリサイクルやマニアルリサイクルの対象として決めている部品リストや、必要に応じて部品毎の材質についての詳細情報や環境負荷物質の使用の有無、取り扱い上の注意等を採用しても良い。
【００１６】
図４に示す一例では、遊技機ＩＤ「０００００００１」の遊技機の構成部品ＩＤ「０００００００１ａ」なる構成部品が、「〇年〇月〇日」に製造され、この部品回収先は「Ｈ」、解体手順情報は「画像ａ１」回収時の単価は「ａ」となっている。さて、図５に示すように、解体情報は解体要領図を示す画像情報で成っている。図５の例では発射装置の解体手順がその模式的説明図と共に表示される。解体手順は、▲１▼、▲２▼、▲３▼等で示される解体要領図を用いた説明がなされているため、リサイクルしようとしているユニット又は部品が明確になると共に、リサイクル業者側はこれを見ながら解体作業を行なうので作業効率が向上する。
【００１７】
また、表示画面中のボタン（不図示）をクリックしていくと、順次解体手順が示されると共にそれに対応する解体要領図が表示されていくようにしても良い。要するに解体要領を示した図を画像情報で送信することによってリサイクル業者側の作業性を向上させうる。
【００１８】
次に、図３のブロック構成図を参照して、リサイクル業者側端末装置１００の構成を説明する。このリサイクル業者側端末装置１００は、動作プログラムに従った動作を行うＣＰＵ等で実現される処理部１１０と、マウス等の入力デバイスで実現できる入力部１２０と、ＣＲＴ等の表示デバイスで実現できる表示部１３０と、各種の情報を不揮発的に記憶する記憶部１４０と、遊技機本体やその構成部品に貼られているＩＤを記録したバーコード用シールからＩＤを読み取るバーコードリーダー１５０とを備えている。なお、バーコードシステムの替わりに、ＩＤタグとＩＤタグリーダーを使用してシステムを構成すると非接触でのＩＤの読み取りが可能となる。
【００１９】
また、このリサイクル業者側端末装置１００は、固定型の端末装置ではなく、携帯電話や可搬型でモバイル機能を有する小型情報処理装置等によっても実現可能であり、携帯型の端末装置を用いてリサイクル情報を得ることができることになる。なお、リサイクル業者側端末装置１００を携帯電話とすることによって、図１の構成において厳密に記載すると、基地局等の中継装置が必要となるが、本発明の主要部の理解の容易化のために敢えて基地局等の中継装置を図示せずに説明する。
【００２０】
（動作例１）
次に、図６に示す通信シナリオと、図７に示すリサイクル業者側端末装置１００の表示部１３０の表示画面とを参照して動作を説明する。
【００２１】
先ず遊技機ＩＤを送信する場合について説明する。遊技機に貼り付けられたバーコードシールに記録された遊技機ＩＤをリサイクル業者側端末装置１００のバーコードリーダー１５０によって読み取ると、処理部１１０は自動的にこれをリサイクル支援装置３００に送信する（ステップＳ６００）。このように遊技機ＩＤの送信が自動起動されるので操作性に富む。なお、バーコードシールの替わりにＩＤタグを埋め込んだシールを貼付しておくことで、ＩＤタグシステムを用いることもできることができるのはもちろんであり、バーコードよりも多くの情報を持たせることができる。
【００２２】
これをリサイクル支援装置３００の処理部３１０が受信すると、テーブル３５１において、この受信した遊技機ＩＤに関連付けて記憶されている各構成部品ＩＤのリサイクル情報を求める。そして、処理部３１０は求めたリサイク情報をリサイクル業者側端末装置１００に送信する（ステップＳ６０２）。
【００２３】
次いでこれを受信した処理部１１０は、その表示部１３０にリサイクル情報を表示する。この際、先に説明した解体手順の解体要領図を表示画面１３１の解体手順画像情報表示エリア１３２に表示すると共に、これ以外のリサイクル情報をリサイクル情報表示エリア１３２に表示するので、解体手順が見やすくなる。なお、図７では図示していないが、ボタンをクリックして順次異なる構成部品の解体手順が表示されるようにしている。
【００２４】
また、図７に示すように、処理部１１０は、構成部品ＩＤと単価と製造年月日とを対応付けてこれをリスト状にリサイクル情報表示エリア１３３に表示させて、送信した遊技機ＩＤに対応するリサイクル情報を把握容易としている。図４に示す例では、リサイクル業者側端末装置１００から遊技機ＩＤ「０００００００１」を送信した場合、構成部品ＩＤ「０００００００１ａ」、「０００００００１ｂ」、…が受信され、そられに対するリサイクル情報である製造年月日「〇年〇月〇日」、「×年×月×日」、…、それらに対する部品回収先「Ｈ」、「Ｅ」、…、それらに対する解体手順情報「画像ａ１」、「画像ａ２」、…、それらに対する単価「ａ」、「」、…が受信されて表示出力される。
【００２５】
（動作例２）
次に構成部品ＩＤを送信する場合について説明する。遊技機の構成部品に貼り付けられたバーコードシールに記録された構成部品ＩＤをリサイクル業者側端末装置１００のバーコードリーダー１５０によって読み取ると、処理部１１０は自動的にこれをリサイクル支援装置３００に送信する（ステップＳ６００）。このように構成部品ＩＤの送信が自動起動されるので操作性に富む。
【００２６】
これをリサイクル支援装置３００の処理部３１０が受信すると、テーブル３５１において、この受信した構成部品ＩＤに関連付けて記憶されているリサイクル情報を求める。そして、処理部３１０は求めたリサイク情報をリサイクル業者側端末装置１００に送信する（ステップＳ６０２）。
【００２７】
次いでこれを受信した処理部１１０は、その表示部１３０にリサイクル情報を表示する。この際、解体手順の解体要領図を表示画面１３１の解体手順画像情報表示エリア１３２に表示すると共に、これ以外のリサイクル情報をリサイクル情報表示エリア１３２に表示するので、解体手順が見やすくなる。
【００２８】
また、処理部１１０は、この構成部品ＩＤと単価と製造年月日とを対応付けてこれをリサイクル情報表示エリア１３３に表示させて、送信した構成部品ＩＤに対応するリサイクル情報を把握容易としている。
【００２９】
したがって、動作例１、２によれば、リサイクル支援装置３００は、リサイクル業者側端末装置１００からの遊技機ＩＤまたは構成部品ＩＤを受信し、受信したＩＤに対応するリサイクル情報をテーブル３５１から読み出し、読み出したリサイクル情報をリサイクル業者側端末装置３００に配信するので、遊技機のリサイクル情報が迅速に求められるようになる。
【００３０】
また、処理部３１０は、受信した遊技機ＩＤに関連付られた各構成部品の解体手順情報をテーブル３５１から読み出し、読み出された各構成部品の解体手順情報をリサイクル業者側端末装置３００に配信する処理や、受信した構成部品ＩＤに関連付られた解体手順情報をテーブル３５１から読み出し、読み出された解体手順情報をリサイクル業者側端末装置３００に配信するので、遊技機ＩＤや構成部品ＩＤを送信するだけで、所望の解体手順が容易に得られるようになる。そして、解体手順情報を、構成部品の解体手順を示す解体要領図を示す画像情報としているので作業性も一層向上するという利点も有する。
【００３１】
（動作例３）
図８、図９を参照してこの動作例３を説明する。先ず、ステップＳ８００において、リサイクル支援装置３００の処理部３１０は、テーブル３５１の各構成部品の製造年月日を参照して、現時点で、製造年月日から１年半以上経過して且つ２年は経過していない構成部品があるか否かを判定する。無いと判定した場合（Ｎｏ）には処理を終え、一方、あると判定した場合（Ｙｅｓ）にはステップＳ８０２に移行する。
【００３２】
ステップＳ８０２においては、処理部３１０は、その構成部品ＩＤとリサイクル情報とを対応付けたリストを作成する。そして、ステップＳ８０４において、あと半年で期限が切れる旨（期限間近な旨）のメッセージをこの作成したリストに添付してリサイクル業者側端末装置１００に送信する。なお、この例では構成部品の再利用期限を２年と想定しているが、これ以外の再利用期限の場合についても同様な処理を施せる。
【００３３】
さて、これらの情報を受信したリサイクル業者側端末装置１００の処理部１１０は、図９に示すように、受信したリストをリスト表示エリア１３６に表示すると共に、メッセージ１３５を他のエリアに表示する。
【００３４】
したがって、この動作例３によれば、リサイクル支援装置３００は、製造年月日から１年半（第１の所定期間）以上経過して２年（第２の所定期間）を経過していない構成部品ＩＤをそのリサイクル情報と共にテーブル３５１から読み出し、  読み出した構成部品ＩＤとそのリサイクル情報とに、解体期限が間近な旨のメッセージ１３５を添えたものを電子メールにてリサイクル業者側端末装置１００に配信するので、解体業務の期限忘れを防止することができる。
【００３５】
このように、本発明の実施形態によれば、リサイクル業者側端末装置１００が、  リサイクル情報の配信対象となる遊技機または構成部品を指定する指定情報（具体的にはＩＤ）をリサイクル支援装置３００側に送信し、リサイクル支援装置３００は、この指定情報を受信し、受信した指定情報に対して予め関連付けられているリサイクル情報を求め、求めたリサイクル情報をリサイクル業者側端末装置１００に配信するので、遊技機のリサイクル情報が迅速に求められるようになる。
【００３６】
図１０は、図１に示す各装置の主要部のハードウエア構成図である。図１０に示す構成では、ＣＰＵ１０００と、動作プログラム１０１２を記録した記録媒体としてのＨＤ１０１０と、マウス１０２０（端末装置が携帯電話の場合には操作ボタン）と、ＣＲＴ１０３０（端末装置が携帯電話の場合には液晶表示装置）とを有し、これらが相互に所要の情報を通信可能にバス１０４０で接続されている。そして、ＣＰＵ１０００が、動作プログラム１０１２を実行することによって、以上説明してきたような各種の動作が実現できる。
【００３７】
以上、本発明の実施の形態について説明してきたが、本発明の要旨を逸脱しない範囲内において、本発明の実施の形態に対して種々の変形や変更を施すことができる。例えば、リサイクル業者側端末装置１００の情報の送受信に際して総て音通知にて操作を促したりするようにすること等が考えられる、さらに、テーブル３５１におけるリサイクル情報の追加等を行ってより豊富なリサイクル情報を提供可能とすること、一連の動作はリサイクル業者側端末装置１００からパスワードを入力しなければ行なえないようにすること、等の種々の変形や変更が挙げられる。
【発明の効果】
以上説明してきたように、本発明によれば、遊技機の最新のリサイクル情報が迅速に求められるようになるという効果が得られる。
【図面の簡単な説明】
【図１】本発明の実施形態であるリサイクル支援システム１のブロック構成図である。
【図２】リサイクル支援装置装置３００のブロック構成図である。
【図３】リサイクル業者側端末装置１００のブロック構成図である。
【図４】テーブル３５１の説明図である。
【図５】画像ａ１の説明図である。
【図６】動作の説明図である。
【図７】リサイクル業者側端末装置１００の表示画面の説明図である。
【図８】他の動作を説明するフローチャートである。
【図９】リサイクル業者側端末装置１００の表示画面の説明図である。
【図１０】各装置のハードウエア構成図である。
【符号の説明】
１  リサイクル支援システム
１００  リサイクル業者側端末装置
１１０  処理部
１２０  操作部
１３０  表示部
１４０  記憶部
１５０  バーコードリーダー
２００  通信網
３００  リサイクル支援装置
３１０  処理部
３２０  入力部
３３０  出力部
３４０  記憶部
３５０  テーブル領域
３５１  テーブル
１０００  ＣＰＵ
１０１０  ＨＤ
１０１２  動作プログラム
１０２０  マウス
１０３０  ＣＲＴ
１０４０  バス
【図１】
0004824854.tif 000002
【図２】
0004824854.tif 000003
【図３】
0004824854.tif 000004
【図４】
0004824854.tif 000005
【図５】
0004824854.tif 000006
【図６】
0004824854.tif 000007
【図７】
0004824854.tif 000008
【図８】
0004824854.tif 000009
【図９】
0004824854.tif 000010
【図１０】
0004824854.tif 000011